(57)【特許請求の範囲】
【請求項１】
給湯源から供給される湯と給水源から供給される水を混合して湯水を吐止水する湯水混合水栓装置であって、
湯水を吐水する吐水口を形成するスパウトと、
給湯源から供給される湯が通過する通湯路と給水源から供給される水が通過する通水路を形成すると共に、これらの通湯路及び通水路のそれぞれを通過させて混合された湯水を上記スパウトに流出させる湯水混合路を形成する樹脂製の通水路形成部材と、
この通水路形成部材の通湯路及び通水路の下流側且つ上記通水路形成部材の湯水混合路の上流側に取り付けられた状態で上記通水路形成部材の通湯路及び通水路のそれぞれから供給された湯と水を混合すると共に、上記通水路形成部材の通湯路及び通水路から供給される湯水を通水状態又は止水状態に切り替える湯水混合バルブユニットと、
複数の所定箇所に固定されたナットを備え且つ弾性変形することにより上記樹脂製の通水路形成部材に着脱可能に取り付けられたナットホルダ部材と、
このナットホルダ部材のナットのそれぞれに締結されたビス部材と、を有し、
上記湯水混合バルブユニット及び上記通水路形成部材は、上記湯水混合バルブユニットが上記通水路形成部材の端面に配置された状態で上記湯水混合バルブユニットを介して上記ナットホルダ部材のナットに螺合された上記ビス部材により、互いに接続されていることを特徴とする湯水混合水栓装置。
【請求項２】
上記ナットホルダ部材は、その一部に切欠きが形成されたほぼ円環形状である請求項１記載の湯水混合水栓装置。
【請求項３】
更に、上記スパウトを形成すると共に上記ナットホルダ部材を上記通水路形成部材に取り付けた状態で上記通水路形成部材の外周部を覆うカバー部材を有し、上記ナットホルダ部材は、上記通水路形成部材に取り付けた状態では、上記カバー部材の移動を規制するように上記通水路形成部材の外径よりも外側に突出している請求項１又は２に記載の湯水混合水栓装置。
【請求項４】
更に、上記湯水混合バルブユニットに上方から取り付けられ且つ複数の所定箇所に上記ビス部材が取り付けられる取付孔が形成されたほぼ円環状の押さえ部材を有する請求項１乃至３の何れか１項に記載の湯水混合装置。
【発明の詳細な説明】
【技術分野】
【０００１】
本発明は、湯水混合水栓装置に係り、特に、給湯源から供給される湯と給水源から供給される水を混合して湯水を吐止水する湯水混合水栓装置に関する。
【背景技術】
【０００２】
従来から、給湯源から供給される湯と給水源から供給される水を混合して湯水を吐止水する湯水混合水栓装置として、例えば、特許文献１に記載されているように、給湯源から供給される湯が通過する通湯路と給水源から供給される水が通過する通水路を内部に形成すると共に、これらの通湯路及び通水路のそれぞれを通過させて弁ユニットの混合室内で混合された湯水を吐水口に流出させる湯水混合路を内部に形成する通水路形成部材を備え、この通水路形成部材の下方部分がカウンターの取付孔に挿入されて取り付けられることにより、水栓本体をカウンターに固定しているものが知られている。
【先行技術文献】
【特許文献】
【０００３】
【特許文献１】特許３２１８９１６号公報
【発明の概要】
【発明が解決しようとする課題】
【０００４】
しかしながら、上述した従来の湯水混合水栓装置の本体の一部である通水路形成部材は、弁ユニットを通水路形成部材に固定して取り付けるためのビスが通水路形成部材の雌ねじに直接的に螺合されることにより、弁ユニットが通水路形成部材に固定されており、通水路形成部材自体にビスを固定するためのねじ加工が施されている。
しかしながら、通水路形成部材を形成する材料として、合成樹脂等の強度が比較的低い材料を採用した場合には、このような樹脂製の通水路形成部材自体にねじ加工を施すと、通水路形成部材自体の十分な強度を得ることが難しいという問題がある。
また、樹脂製の通水路形成部材に金属製のナット部材をインサート成形して一体的に組み込んだ場合には、コストが非常に高くなるという問題もある。
【０００５】
そこで、本発明は、上述した従来技術の問題を解決するためになされたものであり、ビス部材が樹脂製の通水路形成部材に直接的に締結される場合に比べて締結強度を高めることができる湯水混合水栓装置を提供することを目的としている。
【課題を解決するための手段】
【０００６】
上記の目的を達成するために、本発明は、給湯源から供給される湯と給水源から供給される水を混合して湯水を吐止水する湯水混合水栓装置であって、湯水を吐水する吐水口を形成するスパウトと、給湯源から供給される湯が通過する通湯路と給水源から供給される水が通過する通水路を形成すると共に、これらの通湯路及び通水路のそれぞれを通過させて混合された湯水を上記スパウトに流出させる湯水混合路を形成する樹脂製の通水路形成部材と、この通水路形成部材の通湯路及び通水路の下流側且つ上記通水路形成部材の湯水混合路の上流側に取り付けられた状態で上記通水路形成部材の通湯路及び通水路のそれぞれから供給された湯と水を混合すると共に、上記通水路形成部材の通湯路及び通水路から供給される湯水を通水状態又は止水状態に切り替える湯水混合バルブユニットと、複数の所定箇所に固定されたナットを備え且つ弾性変形することにより上記樹脂製の通水路形成部材に着脱可能に取り付けられたナットホルダ部材と、このナットホルダ部材のナットのそれぞれに締結されたビス部材と、を有し、上記湯水混合バルブユニット及び上記通水路形成部材は、上記湯水混合バルブユニットが上記通水路形成部材の端面に配置された状態で上記湯水混合バルブユニットを介して上記ナットホルダ部材のナットに螺合された上記ビス部材により、互いに接続されていることを特徴としている。
このように構成された本発明においては、ビス部材が、樹脂製の通水路形成部材とは別部材のナットホルダ部材のナットに締結されるため、ビス部材が樹脂製の通水路形成部材に直接的に締結される場合に比べて締結強度を高めることができる。したがって、湯水混合バルブユニットによる操作、或いは通水路形成部材の通湯路や通水路内の水圧によって、通水路形成部材が破損したり、湯水混合バルブユニットが脱落したりすることを防ぐことができる。また、樹脂製の通水路形成部材については、湯水混合バルブユニットによる作動状況にかかわらず、通湯路や通水路に常時かかる水圧による負荷や、通湯路の湯と通水路の水との温度差による負荷に耐え得る比較的高い剛性が要求されており、ナットを圧入するなどの処理を行うことは難しい。このため、ナットホルダ部材を介して樹脂製の通水路形成部材に取り付けることにより、ナット自体を通水路形成部材に直接的に配置した場合に比べて、ナットを通水路形成部材に対して安定して固定することができる。したがって、ナットとビス部材とを締結しやすくすることができると共に、組立時や湯水混合バルブユニットのメンテナンス時にナットが通水路形成部材から脱落してしまうことを防ぐことができる。さらに、複数の所定箇所に固定されたナットを備えたナットホルダ部材を通水路形成部材に一旦取り付けるだけで複数のナットを樹脂製の通水路形成部材に取り付けることが可能となり、このナットホルダ部材のそれぞれのナットにビス部材をそれぞれ取り付けることができるため、組立性能を向上させることができる。
【０００７】
本発明において、好ましくは、上記ナットホルダ部材は、その一部に切欠きが形成されたほぼ円環形状である。
このように構成された本発明においては、ナットホルダ部材の一部に切欠きが形成されたほぼ円環形状により、ナットホルダ部材全体について、樹脂製の通水路形成部材に着脱可能な弾性を保持しつつ、剛性を備えた材料で形成することができる。
【０００８】
本発明において、好ましくは、更に、上記スパウトを形成すると共に上記ナットホルダ部材を上記通水路形成部材に取り付けた状態で上記通水路形成部材の外周部を覆うカバー部材を有し、上記ナットホルダ部材は、上記通水路形成部材に取り付けた状態では、上記カバー部材の移動を規制するように上記通水路形成部材の外径よりも外側に突出している。
このように構成された本発明においては、スパウトを形成するカバー部材を上方に移動しようとした際に、通水路形成部材の外径よりも外側に突出しているナットホルダ部材にカバー部材が当接して移動が規制されるため、不用意にカバー部材が外れることを防ぐことができる。
【０００９】
本発明において、好ましくは、更に、上記湯水混合バルブユニットに上方から取り付けられ且つ複数の所定箇所に上記ビス部材が取り付けられる取付孔が形成されたほぼ円環状の押さえ部材を有する。
このように構成された本発明においては、円環状の押さえ部材を湯水混合バルブユニットに上方から取り付け、この押さえ部材の取付孔に取り付けられたビス部材をナットホルダ部材のナットに螺合させて締結することにより、湯水混合バルブユニットを通水路形成部材の上面に確実に固定することができる。
【発明の効果】
【００１０】
本発明の湯水混合水栓装置によれば、ビス部材が樹脂製の通水路形成部材に直接的に締結される場合に比べて締結強度を高めることができる。
【図面の簡単な説明】
【００１１】
【図１】本発明の一実施形態による湯水混合水栓装置を斜め前方から見た概略斜視図である。
【図２】本発明の一実施形態による湯水混合水栓装置を示す背面断面図である。
【図３】本発明の一実施形態による湯水混合水栓装置を示す側面断面図である。
【図４】本発明の一実施形態による湯水混合水栓装置を示す分解斜視図である。
【図５】本発明の一実施形態による湯水混合水栓装置の台座部材を示す斜視図である。
【図６】本発明の一実施形態による湯水混合水栓装置の通水路形成部材及びねじ部材を示す斜視図である。
【図７】図２のＶＩＩ−ＶＩＩ線に沿った断面図である。
【図８】本発明の一実施形態による湯水混合水栓装置の通水路形成部材及びナットホルダ部材を示す分解斜視図である。
【図９】本発明の一実施形態による湯水混合水栓装置のナットホルダ部材を示す平面図である。
【図１０】本発明の一実施形態による湯水混合水栓装置の湯水混合バルブユニット、円筒部材、押さえ部材及びビス部材を示す分解斜視図である。
【発明を実施するための形態】
【００１２】
以下、添付図面を参照して本発明の一実施形態による湯水混合水栓装置について説明する。
まず、図１は、本発明の一実施形態による湯水混合水栓装置を斜め前方から見た概略斜視図である。
図１に示すように、本発明の一実施形態による湯水混合水栓装置１は、給湯源（図示せず）から供給される湯と給水源（図示せず）から供給される水を混合し、１つの操作ハンドル２を操作することにより湯水の流量と温度を調整した湯水をスパウト４の吐水口４ａから吐止水することができる、いわゆる、シングルレバー式の湯水混合水栓装置である。
【００１３】
すなわち、湯水混合水栓装置１は、台所のシンク又は洗面台のカウンター６上に配置され、操作ハンドル２を上方（図１に示されている矢印「開」の方向）に回動操作した場合には、スパウト４の吐水口４ａから吐出される湯水を吐水状態に設定することができるようになっており、操作ハンドル２をより上方に回動させた位置に設定する程、スパウト４の吐水口４ａから吐出される湯水の流量を大きく設定することができるようになっている。一方、操作ハンドル２を下方（図１に示されている矢印「閉」の方向）に回動操作した場合には、スパウト４の吐水口４ａから吐出される湯水を止水状態に設定することができるようになっている。
また、操作ハンドル２を図１に示されている右方向（図１に示されている矢印「Ｃ」の方向）に回動操作した場合には、スパウト４の吐水口４ａから吐出される湯水の温度を低温側に設定することができるようになっている。一方、操作ハンドル２を図１に示されている左方向（図１に示されている矢印「Ｈ」の方向）に回動操作した場合には、スパウト４の吐水口４ａから吐出される湯水の温度を高温側に設定することができるようになっている。
【００１４】
また、スパウト４は、その基端部に形成されて湯水混合水栓装置１の内部構造の一部（詳細は後述する台座部材８及び通水路形成部材１０の一部）の外周を取り囲むカバー部４ｂを備え、このカバー部４ｂは、湯水混合水栓装置１の鉛直方向に延びる中心軸線Ａを中心に図１に示されている右方向（図１に示されている矢印「Ｒ」の方向）及び図１に示されている左方向（図１に示されている矢印「Ｌ」の方向）に回動可能になっており、スパウト４の全体を湯水混合水栓装置１の中心軸線Ａを中心に旋回することができるようになっている。
【００１５】
つぎに、図２〜図１０により、本発明の一実施形態による湯水混合水栓装置の内部構造について説明する。
図２は本発明の一実施形態による湯水混合水栓装置を示す背面断面図であり、図３は本発明の一実施形態による湯水混合水栓装置を示す側面断面図であり、図４は本発明の一実施形態による湯水混合水栓装置を示す分解斜視図である。
図２〜図４に示すように、湯水混合水栓装置１は、カウンター６を上下方向に貫く取付穴６ａの上縁に密封して取り付けられるシール部材であるシートパッキン１２と、このシートパッキン１２の上面に取り付けられた金属製の台座部材８と、馬蹄形状の固定金具１４と、この固定金具１４に締結される締付金具１６と、台座部材８の上方に取り付けられる樹脂製の通水路形成部材１０と、この通水路形成部材１０を台座部材８上に固定する一対のねじ部材１８と、この通水路形成部材１０の上方に取り付けられる湯水混合バルブユニット２０と、この湯水混合バルブユニット２０の外周を取り囲む円筒部材２２と、この円筒部材２２の内側に取り付けられるほぼ円環状の押さえ部材２４と、この押さえ部材２４の３箇所に形成された取付孔２４ａのそれぞれに取り付けられるビス部材２６と、円筒部材２２の外周を取り囲む本体カバー２８とを備えている。
【００１６】
つぎに、図５は、本発明の一実施形態による湯水混合水栓装置の台座部材を示す斜視図である。
図２〜図５に示すように、湯水混合水栓装置１の金属製の台座部材８は、カウンター６の取付穴６ａの表側（上側）に取り付けられたシートパッキン１２を介して常時カウンター６の上面よりも上側に位置し、カウンター６の取付穴６ａの上方を覆っている。また、台材部材８は、カウンター６の裏側（下側）から取り付けられた固定金具１４と共にカウンター６を挟み込んだ状態で締付金具１６を締め付けることにより、カウンター６上に固定されるようになっている。また、万一、樹脂製の通水路形成部材１０が破損して漏水した場合であっても、台座部材８とカウンター６の取付穴６ａとの間がシール部材シートパッキン１２により密封されているため、漏水をカウンター６上のみに留め、漏水がカウンターの取付穴から台座部材８の下方に漏出することを防ぐことができ、早期に漏水を発見しやすくすることができるようになっている。
【００１７】
さらに、図２〜図５に示すように、金属製の台座部材８においては、給湯源（図示せず）から延びる給湯ホース３０が接続され且つこの給湯ホース３０から供給される湯が通過する通湯孔８ａが形成されている。また、給水源（図示せず）から延びる給湯ホース３０が接続され且つ給水ホース３２から供給される水が通過する通水孔８ｂが形成されている。また、給湯ホース３０の接続部３０ａ及び給水ホース３２の接続部３２ａは、それぞれに対応する台座部材８の通湯孔８ａ及び通水孔８ｂに平パッキン３４を介して接続されている。
【００１８】
つぎに、図６は本発明の一実施形態による湯水混合水栓装置の通水路形成部材及びねじ部材を示す斜視図であり、図７は図２のＶＩＩ−ＶＩＩ線に沿った断面図であり、図８は本発明の一実施形態による湯水混合水栓装置の通水路形成部材及びナットホルダ部材を示す分解斜視図である。
図２〜図８に示すように、湯水混合水栓装置１の樹脂製の通水路形成部材１０は、台座部材８の上方に取り付けられた状態で台座部材８の通湯孔８ａ及び通水孔８ｂのそれぞれと連通する通湯路１０ａ及び通水路１０ｂを内部にそれぞれ形成すると共に、これらの通湯路１０ａ及び通水路１０ｂのそれぞれを通過させて湯水混合バルブユニット２０の湯水混合室２０ａ内で混合された湯水をスパウト４に流出させる湯水混合路１０ｃを内部に形成している。
【００１９】
また、図２〜図８に示すように、樹脂製の通水路形成部材１０には、上下方向に貫くように貫通孔１０ｄが形成されており、これらの貫通孔１０ｄのそれぞれにねじ部材１８を挿入し、台座部材８に形成された雌ねじ孔８ｃにねじ部材１８の下端部を螺合させることにより、材質が互いに異なる樹脂製の通水路形成部材１０と金属製の台座部材８とを締結することができるようになっている。
【００２０】
また、図２〜図４に示すように、樹脂製の通水路形成部材１０と金属製の台座部材８とが接続された状態では、通水路形成部材１０の給湯路１０ａ及び給水路１０ｂとそれぞれに対応する台座部材８の通湯孔８ａ及び通水孔８ｂとの接続部は、Ｏリング３６が取り付けられて液密的にシールされている。
【００２１】
つぎに、図９は本発明の一実施形態による湯水混合水栓装置のナットホルダ部材を示す平面図であり、図１０は本発明の一実施形態による湯水混合水栓装置の湯水混合バルブユニット、円筒部材、押さえ部材及びビス部材を示す分解斜視図である。
図６〜図１０に示すように、通水路形成部材１０の外周には、樹脂製のナットホルダ部材３８が着脱可能に取り付けられている。このナットホルダ部材３８は、その一部に切欠き３８ａが形成されたほぼ円環形状であり、三箇所に金属製のナット４０が固定されている。
また、ナットホルダ部材３８は、通水路形成部材１０にナットホルダ部材３８を着脱する際、切欠き３８ａの水平方向の幅が伸縮するように弾性変形可能であり、ナットホルダ部材３８の全体について、樹脂製の通水路形成部材１０に対して着脱可能な弾性を保持しつつ、剛性を備えた材料で形成されている。なお、図９に示すナットホルダ部材３８においては、弾性変形前後のそれぞれの状態を実線及び破線でそれぞれ示している。
さらに、通水路形成部材１０の外周にナットホルダ部材３８が取り付けられた状態では、通水路形成部材１０の上面の三箇所から下方に延びるように形成された３つのビス取付孔１０ｅのそれぞれが、ナットホルダ部材３８のナット４０の取付孔４０ａのそれぞれと上下方向に対向して互いに一致するようになっている。
【００２２】
また、図２〜図１０に示すように、押さえ部材２４の取付孔２４ａに取り付けられたビス部材２６のそれぞれは、通水路形成部材１０の各ビス取付孔１０ｅを貫いてナットホルダ部材３８の各ナット４０に螺合されるようになっている。さらに、ビス部材２６が、樹脂製の通水路形成部材１０とは別部材であるナットホルダ部材３８の金属製のナット４０に締結されるため、ビス部材２６が樹脂製の通水路形成部材１０に直接的に締結される場合に比べて締結強度を高めることができるようになっている。また、ビス部材２６がナット４０に締結された状態では、押さえ部材２４が、円筒部材２２の内周側の中間部分よりも上方に形成されて内方に突出する保持部２２ａの上面に上方から押し付けられ、円筒部材２２が通水路形成部材１０に対して固定されるようになっている。
【００２３】
さらに、図２〜図９に示すように、ナットホルダ部材３８を通水路形成部材１０に取り付けた状態では、ナットホルダ部材３８の外周面が通水路形成部材１０の外周面（外径）よりも外側に突出し、このナットホルダ部材３８の外周部の下面がスパウト４のカバー部４ｂの上端に当接しており、スパウト４のカバー部４ｂの上下方向の移動が規制されるようになっている。
【００２４】
また、スパウト４のカバー部４ｂの内周面と通水路形成部材１０の外周面との間には、所定の隙間が形成され、この隙間により、スパウト４のカバー部４ｂが湯水混合水栓装置１の鉛直方向に延びる中心軸線Ａを中心に図１に示されている右方向（図１に示されている矢印「Ｒ」の方向）及び図１に示されている左方向（図１に示されている矢印「Ｌ」の方向）に回動可能になっている。さらに、スパウト４のカバー部４ｂの内周面と通水路形成部材１０の外周面との間の隙間により、万一、樹脂製の通水路形成部材１０が破損して通水路形成部材１０の外部に漏水が生じたとしても、この隙間がカウンター６上への漏水の抜け道となり、漏水がスパウト４のカバー部４ｂの下部からカウンター６上に流出し、早期に漏水を発見しやすくすることができるようになっている。
【００２５】
さらに、図２〜図１０に示すように、押さえ部材２４の中央穴２４ａの周縁は、円筒部材２２の保持部２２ａの内周縁よりも内側に突出しており、押さえ部材２４が湯水混合バルブユニット２０のケーシング部材４２の段部４２ａに当接し、湯水混合バルブユニット２０が通水路形成部材１０の上面に固定されるようになっている。
【００２６】
また、図２〜図４及び図１０に示すように、円筒部材２２の外周面の一部には、円筒部材２２の上端から下方に延びてその下端がほぼ水平方向に屈曲するように形成されたキー溝２２ｃが形成されている。一方、本体カバー２８の内周面の一部には、円筒部材２２のキー溝２２ｃに係止可能な係止突起２８ａが形成され、このキー溝２２ｃに円筒部材２２の係止突起２８ａを係止させることにより、本体カバー２８が円筒部材２２に固定されるようになっている。
【００２７】
さらに、図２〜図４に示すように、本体カバー２８の上方の開口部２８ｂにおいては、湯水混合バルブユニット２０の可動弁体４４を操作する湯水混合バルブユニット２０の操作軸部材４６が上方に貫いた状態となっており、この操作軸部材４６に操作ハンドル２の軸受け部２ａが固定して取り付けられている。
【００２８】
つぎに、図２〜図４及び図１０に示すように、本実施形態の湯水混合水栓装置１に組み込まれている湯水混合バルブユニット２０の構造については、周知の湯水混合バルブユニットの構造と同様であるため、詳細な説明は省略するが、湯水混合バルブユニット２０は、ケーシング部材４２と、このケーシング部材４２の下端に固定されて固定弁体４８を下側から固定する固定弁体保持部材５０と、固定弁体４８と、この固定弁体４８の上部に摺動及び回転可能に配置された可動弁体４４と、この可動弁体４４の可動を操作する操作軸部材４６によって構成されている。
【００２９】
また、図２及び図３に示すように、固定弁体保持部材５０には、通水路形成部材１０の通湯路１０ａから供給される湯と通水路形成部材１０の通水路１０ｂから供給される水の各々が流入する通湯路５０ａ及び通水路５０ｂがそれぞれ形成されている。これらの通湯路５０ａ及び通水路５０ｂのそれぞれを通過した湯と水は、固定弁体４８及び可動弁体４４を介して通水路形成部材１０の通湯路１０ａ及び通水路１０ｂのそれぞれと湯水混合路１０ｃとを連通させる湯水混合室２０ａで混合され、この混合された湯水の流量と温度が調整されるようになっている。湯水混合室２０ａで調整された湯水は、固定弁体保持部材５０に形成されている湯水混合路５０ｃから通水路形成部材１０の湯水混合路１０ｃへ流出するようになっている。さらに、通水路形成部材１０の湯水混合路１０ｃ内の湯水は、スパウト４の流入口４ｃから吐水口４ａに向って流れるようになっている。
【００３０】
つぎに、上述した本発明の一実施形態による湯水混合水栓装置１の動作（作用）について説明する。
湯水混合水栓装置１を使用する際、図１に示すように、操作ハンドル２を矢印「開」の方向に引き上げ、必要に応じて、操作ハンドル２を矢印Ｈ又は矢印Ｃの方向に回動操作を行うと、通水路形成部材１０の通湯路１０ａ及び通水路１０ｂのそれぞれと湯水混合路１０ｃとが連通するように可動弁体４４が摺動及び又は回転移動し、通水路形成部材１０の通湯路１０ａ及び通水路１０ｂのそれぞれから湯と水が流出し、固定弁体保持部材５０の通湯路５０ａ及び通水路５０ｂを経て湯水混合室２０ａ内に流入する。そして、この湯水混合室２０ａ内で混合されて所定の流量で所定の温度に調整された湯水は、固定弁体保持部材５０の湯水混合路５０ｃを経て通水路形成部材１０の湯水混合路１０ｃからスパウト４の流入口４ｃに流入し、吐水口４ａから吐水される。
また、スパウト４の吐水口４ａの水平方向の位置を変更したい場合には、スパウト４のカバー部４ｂを湯水混合水栓装置１の中心軸線Ａを中心に図１に示されている右方向（図１に示されている矢印「Ｒ」の方向）又は図１に示されている左方向（図１に示されている矢印「Ｌ」の方向）に回動させ、スパウト４の全体を湯水混合水栓装置１の中心軸線Ａを中心に旋回させる。
【００３１】
上述した本発明の一実施形態による湯水混合水栓装置１によれば、ビス部材２６が、樹脂製の通水路形成部材１０とは別部材であるナットホルダ部材３８の金属製のナット４０に締結されるため、ビス部材２６が樹脂製の通水路形成部材１０に直接的に締結される場合に比べて締結強度を高めることができる。したがって、湯水混合バルブユニット２０による操作、或いは通水路形成部材１０の通湯路１０ａや通水路１０ｂ内の水圧によって、通水路形成部材１０が破損したり、湯水混合バルブユニット２０が脱落したりすることを防ぐことができる。また、樹脂製の通水路形成部材１０については、湯水混合バルブユニット２０の可動弁体４４の作動状況にかかわらず、通湯路１０ａや通水路１０ｂに常時かかる水圧による負荷や、通湯路１０ａの湯と通水路１０ｂの水との温度差による負荷に耐え得る比較的高い剛性が要求されているが、ナットホルダ部材３８を樹脂製の通水路形成部材１０に取り付けることにより、ナット４０自体を通水路形成部材１０に直接的に配置した場合に比べて、ナット４０を通水路形成部材１０に対して安定して固定することができる。したがって、ナット４０とビス部材２６とを締結しやすくすることができると共に、湯水混合水栓装置１の組立時や湯水混合バルブユニット２０のメンテナンス時にナット４０が通水路形成部材１０から脱落してしまうことを防ぐことができる。さらに、複数の所定箇所に固定されたナット４０を備えたナットホルダ部材３８を通水路形成部材１０に一旦取り付けると、このナットホルダ部材３８のそれぞれのナット４０にビス部材２６をそれぞれ取り付けることができるため、組立性能を向上させることができる。
【００３２】
また、本実施形態による湯水混合水栓装置１によれば、ナットホルダ部材３８の一部に切欠き３８ａが形成されたほぼ円環形状により、ナットホルダ部材３８の全体について、樹脂製の通水路形成部材１０に着脱可能な弾性を保持しつつ、剛性を備えた材料で形成することができる。
【００３３】
さらに、本実施形態による湯水混合水栓装置１によれば、スパウト４のカバー部４ｂを上方に移動しようとした際に、通水路形成部材１０の外径よりも外側に突出しているナットホルダ部材３８の外周部下面がスパウト４のカバー部４ｂの上端に当接して移動が規制されるため、不用意にスパウト４のカバー部４ｂが湯水混合水栓装置１から外れることを防ぐことができる。
【００３４】
また、本実施形態による湯水混合水栓装置１によれば、円環状の押さえ部材２４を湯水混合バルブユニット２０に円筒部材２２の保持部２２ａを介して上方から取り付け、この押さえ部材２４の取付孔２４ａに取り付けられたビス部材２６をナットホルダ部材３８のナット４０に螺合させて締結することにより、湯水混合バルブユニット２０を通水路形成部材１０の上面に確実に固定することができる。また、ビス部材２６の螺合量をナットホルダ部材３８のナット４０と円筒部材２２の保持部２２ａとの間の距離に規制することが可能となる。これにより、ビス部材２６を過剰に螺合させることによって湯水混合バルブユニット２０に過剰な力がかかり、湯水混合バルブユニット２０が破損して動作に悪影響を与えてしまうことを抑制することができる。
【符号の説明】
【００３５】
１    湯水混合水栓装置
２    操作ハンドル
２ａ  軸受部
４    スパウト
４ａ  吐水口
４ｂ  カバー部（カバー部材）
４ｃ  流入口
６    カウンター
６ａ  カウンターの取付穴
８    台座部材
８ａ  通湯孔
８ｂ  通水孔
８ｃ  雌ねじ孔
１０    通水路形成部材
１０ａ  通湯路
１０ｂ  通水路
１０ｃ  湯水混合路
１０ｄ  貫通孔
１０ｅ  ビス取付孔
１２    シートパッキン（シール部材）
１４    固定金具
１６    締付金具
１８    ねじ部材
２０    湯水混合バルブユニット
２０ａ  湯水混合室
２２    円筒部材
２２ａ  保持部
２２ｂ  保持部の内周縁
２２ｃ  キー溝
２４    押さえ部材
２４ａ  取付孔
２４ｂ  中央穴
２６    ビス部材
２８    本体カバー
２８ａ  係止突起
２８ｂ  開口部
３０    給湯ホース（給湯源）
３０ａ  接続部
３２    給水ホース（給水源）
３２ａ  接続部
３４    平パッキン
３６    Ｏリング
３８    ナットホルダ部材
３８ａ  切欠き
４０    ナット
４０ａ  取付孔
４２    ケーシング部材
４２ａ  段部
４４    可動弁体
４６    操作軸部材
４８    固定弁体
５０    固定弁体保持部材
５０ａ  通湯路
５０ｂ  通水路
５０ｃ  湯水混合路
【図１】
0005958880.tif 000002
【図２】
0005958880.tif 000003
【図３】
0005958880.tif 000004
【図４】
0005958880.tif 000005
【図５】
0005958880.tif 000006
【図６】
0005958880.tif 000007
【図７】
0005958880.tif 000008
【図８】
0005958880.tif 000009
【図９】
0005958880.tif 000010
【図１０】
0005958880.tif 000011